(57)【要約】【課題】適切に霜取り運転を行うことができる空気調和機を提供する。【解決手段】圧縮機２１、流路切替器２２、室外熱交換器２３、絞り装置２４、及び室内熱交換器２５が冷媒配管５１を介して接続された冷媒回路と、室外熱交換器２３の入口側に設けられ、入口温度を検出する温度センサ６１と、霜取り運転を行う室外制御装置６３とを備え、室外制御装置６３は、冷媒回路を流通する冷媒の流量に基づいて補正値を演算する補正値演算手段７３と、温度センサ６１において検出された入口温度と、補正値演算手段７３において演算された補正値とに基づいて、室外熱交換器２３の中間部の中間温度を導出する中間温度導出手段７５と、中間温度導出手段７５において導出された中間温度に基づいて霜取り運転を行う運転モード制御手段７１とを有するものである。【選択図】図１
2015230153.tif 000002
【特許請求の範囲】
【請求項１】
圧縮機、流路切替器、室外熱交換器、絞り装置、及び室内熱交換器が冷媒配管を介して接続された冷媒回路と、
前記室外熱交換器の暖房運転時における入口側に設けられ、前記暖房運転時に前記室外熱交換器の入口側となる入口温度を検出する温度センサと、
前記暖房運転時において前記温度センサの検出結果に基づいて前記冷媒回路を制御することにより霜取り運転を行う室外制御装置と
を備え、
前記室外制御装置は、
前記冷媒回路を流通する冷媒の流量に基づいて補正値を演算する補正値演算手段と、
前記温度センサにおいて検出された前記入口温度と、前記補正値演算手段において演算された前記補正値とに基づいて、前記室外熱交換器の中間部の中間温度を導出する中間温度導出手段と、
前記中間温度導出手段において導出された前記中間温度に基づいて霜取り運転を行う運転モード制御手段と
を有する空気調和機。
【請求項２】
前記補正値は、負の値であり、且つ前記冷媒回路の冷媒循環流量と相関関係を有するものであって、前記冷媒回路の冷媒循環流量が増加するにつれ、当該補正値の絶対値は大きくなるものである請求項１記載の空気調和機。
【請求項３】
前記補正値演算手段は、前記冷媒循環流量と、前記補正値との相関関係のテーブルを有するものである請求項２記載の空気調和機。
【請求項４】
前記補正値演算手段は、前記冷媒循環流量を複数段階に分け、複数段階に分けた前記冷媒循環流量に基づいて前記補正値を求めるものである請求項２または３記載の空気調和機。
【請求項５】
前記補正値演算手段は、前記冷媒循環流量として、前記圧縮機の周波数を用いるものである請求項２〜４のいずれか一項に記載の空気調和機。
【請求項６】
前記補正値演算手段は、前記圧縮機の周波数と、前記補正値との相関関係のテーブルを有するものである請求項５記載の空気調和機。
【請求項７】
前記補正値演算手段は、前記圧縮機の周波数を複数段階に分け、複数段階に分けた前記圧縮機の周波数に基づいて前記補正値を求めるものである請求項５または６記載の空気調和機。
【請求項８】
前記運転モード制御手段は、
前記中間温度と、予め設定された閾値との比較結果に基づいて前記霜取り運転を開始するものであって、
前記中間温度が前記閾値以下である場合、前記霜取り運転を開始するものであり、前記中間温度が前記閾値を超える場合、前記霜取り運転を開始しないものである請求項１〜７のいずれか一項に記載の空気調和機。
【発明の詳細な説明】
【技術分野】
【０００１】
本発明は、霜取り制御を行う空気調和機に関する。
【背景技術】
【０００２】
従来、空気調和機は暖房運転を続けると蒸発器となる室外熱交換器が着霜するため、霜取り運転が実施されている（例えば、特許文献１参照）。特許文献１に記載の技術は、蒸発器の熱負荷要因に基づいて求めた蒸発器の平均温度と、蒸発器の最も低温となる入口側の温度の検出結果とに基づいて空調制御を行うことにより蒸発器の凍結防止を図っている。
【０００３】
また、霜取り運転を行う契機として、凝縮器となる室内熱交換器に設けられている温度センサの検出結果を利用したものが提案されている（例えば、特許文献２参照）。特許文献２に記載の技術は、温度センサの検出結果に基づいて、凝縮器となる室内熱交換器から蒸発器となる室外熱交換器へ至る冷媒流通路が霜付き前であることを示した場合、霜取り運転を開始している。
【先行技術文献】
【特許文献】
【０００４】
【特許文献１】特開平０４−３７２４２０号公報（段落［００３７］）
【特許文献２】特開平０７−２３９１６２号公報（請求項１）
【発明の概要】
【発明が解決しようとする課題】
【０００５】
特許文献１に記載の技術は、蒸発器に複数の温度センサを設けることなく演算により各種値を求めることで低コストで蒸発器の凍結防止を実現している。特許文献２に記載の技術は、凝縮器側に設けられた温度センサの検出結果を利用することにより、冷媒流通路が霜付き前であるか否かの判定結果を契機として霜取り運転を行っている。
【０００６】
しかし、特許文献１及び２に記載の技術では、例えば冷媒配管の長さによって蒸発器の中間部の中間温度にばらつきがあるため、霜取り運転制御または凍結防止運転制御の契機にずれが生じている可能性がある。
【０００７】
本発明は、上記のような問題点を背景としてなされたもので、精度良く霜取り運転制御を行うことができる空気調和機を提供することを目的とするものである。
【課題を解決するための手段】
【０００８】
本発明に係る空気調和機は、圧縮機、流路切替器、室外熱交換器、絞り装置、及び室内熱交換器が冷媒配管を介して接続された冷媒回路と、室外熱交換器の暖房運転時における入口側に設けられ、暖房運転時に室外熱交換器の入口側となる入口温度を検出する温度センサと、暖房運転時において温度センサの検出結果に基づいて冷媒回路を制御することにより霜取り運転を行う室外制御装置とを備え、室外制御装置は、冷媒回路を流通する冷媒の流量に基づいて補正値を演算する補正値演算手段と、温度センサにおいて検出された入口温度と、補正値演算手段において演算された補正値とに基づいて、室外熱交換器の中間部の中間温度を導出する中間温度導出手段と、中間温度導出手段において導出された中間温度に基づいて霜取り運転を行う運転モード制御手段とを有するものである。
【発明の効果】
【０００９】
本発明に係る空気調和機によれば、冷媒配管を流通する冷媒の流量に基づいて導出した蒸発器の中間部の温度に基づいて霜取り運転を行っている。よって、精度良く霜取り運転制御を行うことができるという効果を有する。
【図面の簡単な説明】
【００１０】
【図１】本発明の空気調和機１の実施の形態１を示す概略図である。
【図２】室外制御装置６３の実施の形態１を示す機能ブロック図である。
【図３】配管長と圧力損失ΔＰと冷媒循環流量Ｇｒの相関関係を示す図である。
【図４】冷媒循環流量Ｇｒと補正値ΔＴとの対応関係を示す図である。
【図５】実施の形態１の霜取り運転制御の動作例を示すフローチャートである。
【図６】室外制御装置６３の実施の形態２を示す機能ブロック図である。
【図７】圧縮機２１の周波数ｆｚと補正値ΔＴとの対応関係を示す図である。
【図８】実施の形態２の霜取り運転制御の動作例を示すフローチャートである。
【発明を実施するための形態】
【００１１】
実施の形態１．
以下、本発明の実施の形態について、図面を用いて詳細に説明する。図１は、本発明の空気調和機１の実施の形態１を示す概略図である。空気調和機１は、空調対象空間を空気調和するものであり、室外機１１及び室内機１３を備え、室外機１１と、室内機１３とは液側延長配管５３及びガス側延長配管５５を介して接続されている。
【００１２】
室外機１１は、圧縮機２１、流路切替器２２、室外熱交換器２３、絞り装置２４、室外送風機３１、液側延長配管接続用バルブ４１、ガス側延長配管接続用バルブ４３、温度センサ６１、室外制御装置６３を備えている。室内機１３は、室内熱交換器２５及び室内送風機３３を備えている。また、空気調和機１は、圧縮機２１、流路切替器２２、室外熱交換器２３、絞り装置２４、室内熱交換器２５が冷媒配管５１を介して接続された冷媒回路を備え、冷媒回路内を冷媒が循環することにより、冷凍サイクルが形成されるものである。
【００１３】
圧縮機２１は、例えばスクロール式またはロータリー式等の公知技術を用いて形成されるものであり、冷媒を圧縮して吐出する。流路切替器２２は、例えば四方弁であり、冷媒の流路方向を切り替える。流路切替器２２は、例えば暖房運転時には圧縮機２１の吐出側と室内熱交換器２５を接続し、圧縮機２１の吸入側と室外熱交換器２３とを接続する冷媒回路を形成する。一方、流路切替器２２は、冷房運転時には圧縮機２１の吐出側と室外熱交換器２３とを接続し、圧縮機２１の吸入側と室内熱交換器２５とを接続する冷媒回路を形成する。
【００１４】
室外熱交換器２３は、例えばフィンチューブで形成され、暖房運転時には蒸発器として機能し、冷房運転時には凝縮器として機能する。室外送風機３１は、室外ファンを回転させることにより室外熱交換器２３に空気を供給する。室内熱交換器２５は、例えばフィンチューブで形成され、暖房運転時には凝縮器として機能し、冷房運転時には蒸発器として機能する。室内送風機３３は、室内ファンを回転させることにより室内熱交換器２５に空気を供給する。絞り装置２４は、例えば電子膨張弁で形成され、開度を調整することにより冷媒配管５１を流通する冷媒の流量を調整するものである。
【００１５】
さらに空気調和機１は、温度センサ６１、室外制御装置６３を有している。温度センサ６１は、暖房運転時に室外熱交換器２３の入口側となる箇所に設けられ、室外制御装置６３に入口温度Ｔｉｎの検出結果を供給するものである。つまり、温度センサ６１は、暖房運転時に室外熱交換器２３が最も低温となる部分に設けられている。
【００１６】
室外制御装置６３は、圧縮機２１、流路切替器２２、絞り装置２４、室外送風機３１の駆動を制御するものである。室外制御装置６３は、室内送風機３３の駆動を制御してもよい。室外制御装置６３は、圧縮機２１から周波数ｆｚを取得すると共に、温度センサ６１の検出結果を取得する。
【００１７】
次に、室外制御装置６３の詳細について図２から図４を用いて例示する。図２は、室外制御装置６３の実施の形態１を示す機能ブロック図である。図２の室外制御装置６３の機能構成は、マイコン、コンピュータ等のハードウェア上でプログラムを実行させることにより、構築されたものである。室外制御装置６３は、運転モード制御手段７１、補正値演算手段７３、中間温度導出手段７５、中間温度判定手段７７を備え、冷媒回路の冷凍サイクルを制御するものである。
【００１８】
運転モード制御手段７１は、室内機１３からの運転指令に基づいて運転モードを変更し、空調制御を行うものである。具体的には、運転モード制御手段７１は、室内機１３からの運転指令が冷房運転の場合、運転モードを冷房運転に変更し、冷房運転に関する制御指令を圧縮機２１、流路切替器２２、絞り装置２４、室外送風機３１に供給する。また、運転モード制御手段７１は、室内機１３からの運転指令が暖房運転の場合、運転モードを暖房運転に変更し、暖房運転に関する制御指令を圧縮機２１、流路切替器２２、絞り装置２４、室外送風機３１に供給する。
【００１９】
より具体的には、運転モード制御手段７１は、室内機１３からの運転指令が暖房運転の場合、例えば補正値演算手段７３に補正値ΔＴを演算させる指令を供給し、補正値演算手段７３に温度センサ６１の検出結果である入口温度Ｔｉｎを補正する補正値ΔＴを演算させる。運転モード制御手段７１は、中間温度判定手段７７の判定結果に基づいて霜取り運転の制御指令を生成し、生成した制御指令を流路切替器２２等に供給する。
【００２０】
補正値演算手段７３は、冷媒循環流量導出手段８１、補正値設定手段８３、補正値記憶手段８５を備えている。冷媒循環流量導出手段８１は、例えば暖房運転時、圧縮機２１の周波数ｆｚに依存する冷媒循環流量Ｇｒ［ｋｇ／ｈ］を導出するものである。具体的には、冷媒循環流量導出手段８１は、圧縮機２１のストロークボリュームｖｓｔ［ｃｃ］、圧縮機２１の周波数ｆｚ［ｒｐｓ］、冷媒のガス密度ρ［ｋｇ／ｍ３］、体積効率ηｖ［無次元数］を次式（１）に適用することにより、冷媒循環流量Ｇｒ［ｋｇ／ｈ］を導出する。
【００２１】
【数１】
2015230153.tif 000003
【００２２】
冷媒循環流量Ｇｒについて図３を用いて具体的に説明する。図３は、配管長と圧力損失ΔＰと冷媒循環流量Ｇｒの相関関係を示す図である。図３に示すように、配管長に比例して圧力損失ΔＰの量は増加し、また冷媒循環流量Ｇｒに応じて配管長と圧力損失ΔＰとの変化率である傾きは変化する。よって、配管長に応じて圧力損失ΔＰが求まり、圧力損失ΔＰに応じて冷媒循環流量Ｇｒが求まる。よって、圧力損失ΔＰと、冷媒循環流量Ｇｒとは相関関係があるため、冷媒循環流量Ｇｒに応じて圧力損失ΔＰを求めることもできる。
【００２３】
また、暖房運転時の冷媒状態はｐ−ｈ線図（図示せず）で表すと、飽和液線と飽和蒸気線とで囲まれた湿り飽和蒸気状態である。このような状態では圧力（温度）が決まれば温度（圧力）が決まり、圧力（温度）が変化すれば温度（圧力）も変化する。したがって、圧力と、温度とは相関関係があるため、圧力損失ΔＰと、温度との対応関係を事前に取得しておくことにより、圧力損失ΔＰから補正値ΔＴを導出することができる。例えば図４に示すように、冷媒循環流量Ｇｒと、補正値ΔＴとの対応関係が補正値記憶手段８５に記憶されている。図４は、冷媒循環流量Ｇｒと補正値ΔＴとの対応関係を示す図である。図４に示すように、冷媒循環流量Ｇｒが多段階に分けられ、段階ごとに補正値ΔＴが対応付けられている。つまり、配管長は設置場所等により長さが変わるため、それに合わせて補正値ΔＴを設定すれば、霜取り運転制御の精度が良くなる。
【００２４】
例えば補正値設定手段８３は、冷媒循環流量導出手段８１において導出された冷媒循環流量Ｇｒと、補正値記憶手段８５に記憶されている冷媒循環流量Ｇｒと補正値ΔＴとの対応テーブルとに基づいて、補正値ΔＴを求めるものである。
【００２５】
中間温度導出手段７５は、温度センサ６１で検出した入口温度Ｔｉｎに補正値ΔＴを加算することにより中間温度Ｔｍを導出するものである。つまり、中間温度導出手段７９は、補正値ΔＴと、暖房運転時に室外熱交換器２３の入口側となる入口温度Ｔｉｎとに基づいて、室外熱交換器２３の中間部の中間温度Ｔｍを導出し、導出結果を中間温度判定手段７７に供給するものである。
【００２６】
中間温度判定手段７７は、室外熱交換器２３の中間部の中間温度Ｔｍと、予め設定された閾値Ｔａとに基づいて霜取り運転を開始するか否かを判定し、判定結果を運転モード制御手段７１に供給するものである。
【００２７】
ここで、予め設定された閾値Ｔａは、例えば予め実機運転を行うことにより、暖房運転時に蒸発器として機能する室外熱交換器２３の冷媒流通経路が霜付き前であることを示す指標として用いている。閾値Ｔａは、例えば−２．０から−３．０℃に設定しておけばよい。
【００２８】
運転モード制御手段７１は、中間温度Ｔｍが予め設定された閾値Ｔａ以下であれば流路切替器２２を冷房運転時の状態に切り替え、圧縮機２１の吐出側と、室外熱交換器２３とを接続し、室外熱交換器２３に高温かつ高圧である冷媒を供給させることにより霜取り運転制御を行うものである。運転モード制御手段７１は、中間温度Ｔｍが予め設定された閾値Ｔａより大きければ霜取り運転制御を行わないものである。
【００２９】
図５は、実施の形態１の霜取り運転制御の動作例を示すフローチャートである。運転モード制御手段７１において室内機１３から運転指令があるか否かが判定され、室内機１３から運転指令がある場合（ＳＴ１ＹＥＳ）、運転モード制御手段７１において運転モードを変更する（ＳＴ２）。一方、運転モード制御手段７１において室内機１３から運転指令がない場合（ＳＴ１ＮＯ）、ＳＴ１に戻る。
【００３０】
運転モード制御手段７１において暖房運転である場合（ＳＴ３ＹＥＳ）、圧縮機２１の運転を開始し（ＳＴ４）、一定時間が経過したか否かを判定する（ＳＴ５）。運転モード制御手段７１において一定時間が経過した場合（ＳＴ５ＹＥＳ）、冷媒循環流量導出手段８１において冷媒循環流量Ｇｒを導出し（ＳＴ６）、補正値設定手段８３において補正値ΔＴを選定し（ＳＴ７）、中間温度導出手段７５において室外熱交換器２３の入口温度Ｔｉｎを取得し（ＳＴ８）、中間温度導出手段７５において中間温度Ｔｍを導出する（ＳＴ９）。中間温度判定手段７７において中間温度Ｔｍが閾値Ｔａ以下であるか否かを判定する（ＳＴ１０）。中間温度判定手段７７において中間温度Ｔｍが閾値Ｔａ以下である場合（ＳＴ１０ＹＥＳ）、運転モード制御手段７１において運転モードを霜取り運転に変更し、流路切替器２２を切り替えることにより（ＳＴ１１）、霜取り運転が開始され、霜取り運転が行われる（ＳＴ１２）。また、中間温度判定手段７７において中間温度Ｔｍが閾値Ｔａより大きい場合（ＳＴ１０ＮＯ）、冷媒循環流量導出手段８１から上記一例の処理が繰り返される（ＳＴ６からＳＴ１０）。
【００３１】
なお、運転モード制御手段７１において暖房運転ではない場合（ＳＴ３ＮＯ）、例えば冷房指令が届いた場合、冷房運転が行われる。
【００３２】
以上の説明から、冷媒配管５１の冷媒循環流量Ｇｒに基づいて補正値ΔＴを導出し、補正値ΔＴで補正した蒸発器の中間部の中間温度Ｔｍと、閾値Ｔａとの比較結果を霜取り運転開始としている。これにより、冷媒流通経路の圧力損失ΔＰが考慮された霜取り運転制御が実施されることになるため、精度良く霜取り運転制御を行うことができる。
【００３３】
一方、蒸発器の入口側から中間部までの圧力損失ΔＰを含めて中間温度Ｔｍを補正しているため、中間温度Ｔｍは正確な値となっている。そのような正確な中間温度Ｔｍに基づいて霜取り運転制御を実施するか否かを判定しているため、精度良く霜取り運転制御を開始することができる。これにより、無駄な霜取り運転制御を回避できるので、低消費電力化を図ることもできる。
【００３４】
また、霜取り運転制御に関しては、温度センサ６１を１つ室外熱交換器２３に設けているだけであるので、複数の温度センサ６１を室外熱交換器２３に設ける必要がない。したがって、低コストで霜取り運転制御を実現することができる。
【００３５】
実施の形態２．
実施の形態１では、冷媒循環流量Ｇｒから補正値ΔＴを求める場合について説明したが、実施の形態２では、例えば圧縮機２１の周波数ｆｚと、補正値ΔＴとの対応関係に基づいて導出するものについて説明する。なお、本実施の形態２において、特に記述しない項目については実施の形態１と同様とし、同一の機能等については同一の符号を用いて述べることとする。
【００３６】
図６は、室外制御装置６３の実施の形態２を示す機能ブロック図である。補正値記憶手段９５には、圧縮機２１の周波数ｆｚが増加するにつれ、冷媒配管５１の圧力損失ΔＰが大きくなることに伴い室外熱交換器２３の中間部の中間温度Ｔｍの補正値ΔＴの補正量を増加させる対応関係のテーブルが記憶されている。図７は、圧縮機２１の周波数ｆｚと補正値ΔＴとの対応関係を示す図である。図７に示すように、圧縮機２１の周波数ｆｚは多段階に分けられており、段階ごとに補正値ΔＴが対応付けられている。
【００３７】
具体的には、図７に示すように、例えば周波数ｆｚが３０以下の場合には補正値ΔＴは−０．５℃に設定されるものであり、周波数ｆｚが３０より大きく６０より小さい場合には補正値ΔＴは−１．０に設定されるものであり、周波数ｆｚが６０以上の場合には補正値ΔＴは−１．５に設定されるものである。このような補正値ΔＴは、評価段階で予め実機運転を行うことにより、周波数ｆｚの変化に対応する補正値ΔＴを実測しておけばよい。例えば暖房運転時において、室外熱交換器２３の最低温度を検出できる箇所と、室外熱交換器２３の平均温度を検出できる箇所とにそれぞれ温度センサ６１を設けることにより、補正値ΔＴについて実測しておいてもよい。なお、上記の一例では、３ステップとしているが、ステップ数を増やすことにより補正値ΔＴを細かくすることができる。
【００３８】
補正値設定手段９３は、圧縮機２１の周波数ｆｚに応じて、段階的に複数の補正値ΔＴを選定するものである。図８は、実施の形態２の霜取り運転制御の動作例を示すフローチャートである。図８においては、図５の場合と比べ、冷媒循環流量Ｇｒを導出するステップがない以外は同一のステップであるため、その説明については省略する。
【００３９】
以上の説明から、圧縮機２１の周波数ｆｚと、補正値ΔＴとの対応関係を有することにより、冷媒循環流量Ｇｒを導出する必要がなくなるため、さらに簡易に霜取り運転を開始させることができる。
【００４０】
以上、本発明の実施の形態１、２において、圧縮機２１、流路切替器２２、室外熱交換器２３、絞り装置２４、及び室内熱交換器２５が冷媒配管５１を介して接続された冷媒回路と、室外熱交換器２３の暖房運転時における入口側に設けられ、暖房運転時に室外熱交換器２３の入口側となる入口温度Ｔｉｎを検出する温度センサ６１と、暖房運転時において温度センサ６１の検出結果に基づいて冷媒回路を制御することにより霜取り運転を行う室外制御装置６３とを備え、室外制御装置６３は、冷媒回路を流通する冷媒の流量に基づいて補正値ΔＴを演算する補正値演算手段７３と、温度センサ６１において検出された入口温度Ｔｉｎと、補正値演算手段７３において演算された補正値ΔＴとに基づいて、室外熱交換器２３の中間部の中間温度Ｔｍを導出する中間温度導出手段７５と、中間温度導出手段７５において導出された中間温度Ｔｍに基づいて霜取り運転を行う運転モード制御手段７１とを有するものである。これにより、冷媒配管５１の圧力損失ΔＰに基づいて導出した蒸発器の中間部の中間温度Ｔｍを霜取り運転制御開始の契機としている。よって、蒸発器の中間部の中間温度Ｔｍに応じて霜取り運転制御を行うことができる。したがって、精度良く霜取り運転制御を行うことができる。
【００４１】
また、本発明の実施の形態１において、補正値ΔＴは、負の値であり、且つ冷媒回路の冷媒循環流量Ｇｒと相関関係を有するものであって、冷媒回路の冷媒循環流量Ｇｒが増加するにつれ、補正値ΔＴの絶対値は大きくなるものである。これにより、冷媒循環流量Ｇｒの増加に応じて室外熱交換器２３の中間部の中間温度Ｔｍの補正値ΔＴを増加させることができる。したがって、圧力損失ΔＰを考慮して補正値ΔＴを設定することができる。
【００４２】
また、本発明の実施の形態１において、補正値演算手段７３は、冷媒循環流量Ｇｒと、補正値ΔＴとの相関関係のテーブルを有するものである。これにより、冷媒循環流量Ｇｒから簡易に補正値ΔＴを求めることができる。
【００４３】
また、本発明の実施の形態１において、補正値演算手段７３は、冷媒循環流量Ｇｒを多段階に分け、多段階に分けた冷媒循環流量Ｇｒに対応する補正値ΔＴを求めるものである。これにより、冷媒循環流量Ｇｒに応じて段階的に補正値ΔＴを設定することができる。
【００４４】
また、本発明の実施の形態２において、補正値演算手段７３は、冷媒循環流量Ｇｒとして、圧縮機２１の周波数ｆｚを用いるものである。これにより、簡易に補正値ΔＴを設定することができる。
【００４５】
また、本発明の実施の形態２において、補正値演算手段７３は、圧縮機２１の周波数ｆｚと、補正値ΔＴとの相関関係のテーブルを有するものである。これにより、圧縮機２１の周波数ｆｚから簡易に補正値ΔＴを求めることができる。
【００４６】
また、本発明の実施の形態２において、補正値演算手段７３は、圧縮機２１の周波数ｆｚを多段階に分け、多段階に分けた圧縮機２１の周波数ｆｚに対応する補正値ΔＴを求めるものである。これにより、圧縮機２１の周波数ｆｚに応じて段階的に補正値ΔＴを設定することができる。
【００４７】
また、本発明の実施の形態１、２において、運転モード制御手段７１は、中間温度Ｔｍと、予め設定された閾値Ｔａとの比較結果に基づいて霜取り運転を開始するものであって、中間温度Ｔｍが閾値Ｔａ以下である場合、霜取り運転を開始するものであり、中間温度Ｔｍが閾値Ｔａを超える場合、霜取り運転を開始しないものである。これにより、精度良く霜取り運転を開始させることができる。
【００４８】
なお、本発明の実施の形態は、上記実施の形態１、２に限定されない。上記説明では、霜取り制御の方式が、冷媒回路における冷媒の流れ方向を逆にしてホットガス冷媒を蒸発器に流す方法で霜を融かすリバースフローデフロスト方式が用いられる一例について説明したが特にこれに限定されない。例えば、庫内温度が０℃以下の場合に蒸発器に取り付けたヒータで加熱する方式であってもよい。また、庫内温度が０℃を超える場合に蒸発器の冷媒配管内の冷媒の流れを停止させて室外送風機３１のみを運転させることで霜を融かすオフサイクルデフロスト方式であってもよい。
【符号の説明】
【００４９】
１  空気調和機、１１  室外機、１３  室内機、２１  圧縮機、２２  流路切替器、２３  室外熱交換器、２４  絞り装置、２５  室内熱交換器、３１  室外送風機、３３  室内送風機、４１  液側延長配管接続用バルブ、４３  ガス側延長配管接続用バルブ、５１  冷媒配管、５３  液側延長配管、５５  ガス側延長配管、６１  温度センサ、６３  室外制御装置、７１  運転モード制御手段、７３  補正値演算手段、７５  中間温度導出手段、７７  中間温度判定手段、８１  冷媒循環流量導出手段、８３、９３  補正値設定手段、８５、９５  補正値記憶手段。
【図１】
2015230153.tif 000004
【図２】
2015230153.tif 000005
【図３】
2015230153.tif 000006
【図４】
2015230153.tif 000007
【図５】
2015230153.tif 000008
【図６】
2015230153.tif 000009
【図７】
2015230153.tif 000010
【図８】
2015230153.tif 000011